(57)【要約】  撮像装置（１）は、配線基板（４０）と、レンズモジュール（５０）と前記配線基板（４０）に実装された撮像素子（４１）とを有する撮像部（Ｐ）と、前記撮像部（Ｐ）の光軸（Ａ）方向に開口する枠状の筐体（１０）と、前記筐体（１０）に配置されたトップカバー（３０）と、前記トップカバー（３０）を介して外部に照射される光を発する光源（４２）と、前記レンズモジュール（５０）の周囲に配置され、前記光源（４２）から発せられる光を導光する導光体（６１，６２）と、を備え、前記撮像部（Ｐ）は、前記トップカバー（３０）との間に隙間（Ｇ２）を隔てて配置され、前記筐体（１０）は、前記配線基板（４０）とは非接触（Ｇ１）となるように前記レンズモジュール（５０）側に膨出する膨出部（１１）を有し、前記膨出部（１１）は、少なくとも前記導光体（６１，６２）を介して、前記トップカバー（３０）から加わる荷重（Ｌ５）を受ける。
2019150551.tif 000002
【特許請求の範囲】
【請求項１】
配線基板と、
レンズモジュールと前記配線基板に実装された撮像素子とを有する撮像部と、
前記撮像部の光軸方向に開口する枠状の筐体と、
前記筐体に配置されたトップカバーと、
前記トップカバーを介して外部に照射される光を発する光源と、
前記レンズモジュールの周囲に配置され、前記光源から発せられる光を導光する導光体と、を備え、
前記撮像部は、前記トップカバーとの間に隙間を隔てて配置され、
前記筐体は、前記配線基板とは非接触となるように前記レンズモジュール側に膨出する膨出部を有し、
前記膨出部は、少なくとも前記導光体を介して、前記トップカバーから加わる荷重を受ける、
ことを特徴とする撮像装置。
【請求項２】
前記レンズモジュールの周囲に配置され、光を遮光する遮光体を更に備え、
前記膨出部は、少なくとも前記遮光体及び前記導光体を介して、前記トップカバーから加わる荷重を受ける、
ことを特徴とする請求項１記載の撮像装置。
【請求項３】
前記レンズモジュールの周囲に配置され、光を遮光する遮光体を更に備え、
前記導光体及び前記遮光体のうち一方が回転防止用凸部を有し、他方が前記回転防止用凸部に係合する回転防止用凹部を有し、
前記導光体と前記遮光体とは、前記回転防止用凸部とは異なる位置で接触するように重ねて配置されている、
ことを特徴とする請求項１記載の撮像装置。
【発明の詳細な説明】
【技術分野】
【０００１】
本発明は、撮像装置に関する。
【背景技術】
【０００２】
従来、手のひらや指の静脈、指紋、瞳の虹彩などの生体情報に基づく認証を行う生体認証装置として、配線基板上に配置された撮像素子と、この撮像素子に光を集光するレンズモジュールと、を備える撮像装置が用いられている。【０００３】
このような撮像装置において、矩形枠状の筐体によって矩形板状のトップカバーの周縁を支持することで、トップカバーに加わる荷重がレンズモジュール等の部材を介して配線基板に加わるのを防止する撮像装置が提案されている（例えば、特許文献１参照）。
【先行技術文献】
【特許文献】
【０００４】
【特許文献１】特許第５９５６６８３号公報
【発明の概要】
【発明が解決しようとする課題】
【０００５】
ところで、レンズモジュールの周囲には、照明用発光素子から発せられた光を撮像対象物へ向けて拡散させるリング状の導光体や、照明用発光素子から発せられて撮像装置内の部品の隙間から漏れてくる光などを遮光するリング状の遮光体が配置される。【０００６】
上述のように筐体によってトップカバーの周縁を支持する撮像装置では、トップカバーが例えば指で押されることによって受ける荷重は、導光体や遮光体よりも外側のトップカバーの周縁において筐体により加わることになる。【０００７】
しかしながら、トップカバーの中心が荷重を受けて撓むことによって、レンズモジュールにトップカバーが接触するおそれがある。レンズモジュールにトップカバーが接触すると、レンズモジュールを介して配線基板に荷重が伝わり、配線基板が撓む。配線基板には、ＣＰＵ（Central Processing Unit）やメモリなどの微小な部品が実装されるため、配線基板が撓むと、配線基板に実装された部品に破損のおそれが生じる。【０００８】
なお、レンズモジュールとトップカバーとの接触を回避するためには、レンズモジュールとトップカバーとの間の隙間を大きくすることが考えられるが、この隙間を大きくする分、撮像装置の厚みが増し、撮像装置が大型化する。【０００９】
また、トップカバーの中心が受ける荷重を導光体や遮光体から配線基板に直接的に伝える構成、又は、トップカバーが受ける荷重を導光体や遮光体からレンズモジュールを介して配線基板に間接的に伝える構成を採用しても、上述のように、配線基板が撓むことによって配線基板に実装された部品に破損のおそれが生じる。【００１０】
本発明の目的は、簡素な構成で耐久性を向上させることができる撮像装置を提供することを目的とする。
【課題を解決するための手段】
【００１１】
１つの態様では、撮像装置は、配線基板と、レンズモジュールと前記配線基板に実装された撮像素子とを有する撮像部と、前記撮像部の光軸方向に開口する枠状の筐体と、前記筐体に配置されたトップカバーと、前記トップカバーを介して外部に照射される光を発する光源と、前記レンズモジュールの周囲に配置され、前記光源から発せられる光を導光する導光体と、を備え、前記撮像部は、前記トップカバーとの間に間隙を隔てて配置され、前記筐体は、前記配線基板とは非接触となるように前記レンズモジュール側に膨出する膨出部を有し、前記膨出部は、少なくとも前記導光体を介して、前記トップカバーから加わる荷重を受ける。
【発明の効果】
【００１２】
開示の撮像装置によれば、簡素な構成で耐久性を向上させることができる。
【図面の簡単な説明】
【００１３】
【図１】実施の形態に係る撮像装置を示す平面図である。
【図２】図１のII−II拡大断面図である。
【図３】実施の形態に係る撮像装置を示す分解斜視図である。
【発明を実施するための形態】
【００１４】
以下、実施の形態に係る撮像装置１について、図面を参照しながら説明する。
図１は、実施の形態に係る撮像装置１を示す平面図である。
【００１５】
図２は、図１のII−II断面図である。
図３は、撮像装置１を示す分解斜視図である。
【００１６】
図２及び図３に示すように、撮像装置１は、筐体１０と、２つのストッパ２０と、トップカバー３０と、配線基板４０と、レンズモジュール５０と、第１の導光体６１と、第２の導光体６２と、遮光体７０と、４つの偏光部材８０と、４つの測距用レンズ９０と、を備える。
【００１７】
撮像装置１は、手のひらの静脈を撮像することにより認証を行う生体認証装置として用いられるか或いはこの生体認証装置の一部として用いられる。但し、撮像装置１は、指の静脈、指紋、瞳の虹彩などの他の生体情報を撮像する撮像装置であってもよいし、或いは、生体情報以外の撮像対象物を撮像する撮像装置であってもよい。
【００１８】
なお、本実施の形態では、撮像装置１の上方に撮像対象物がある状態を例にして、上下の方向を説明する。
【００１９】
図３に示すように、筐体１０は、レンズモジュール５０と撮像素子４１とを有する撮像部Ｐの光軸Ａ方向に開口する枠状の筐体である。例えば、筐体１０は、矩形板状の配線基板４０の周縁上に設けられた矩形枠状（四角筒状）を呈することで、撮像部Ｐ、第１の導光体６１、第２の導光体６２、遮光体７０等の周囲に配置されている。
【００２０】
筐体１０は、４つの膨出部１１と、２つの突出部１２と、４つのストッパ爪部収容部１３と、４つの筐体爪部１４と、４つの差込部収容部１５と、トップカバー支持部１６と、を有する。
【００２１】
４つの膨出部１１のそれぞれは、筐体１０の４つの角部に設けられている。図２に示すように、膨出部１１は、配線基板４０とは非接触となるようにレンズモジュール５０側に膨出する。なお、膨出部１１の底面には、後述する測距用発光素子用凹部１１ｅが設けられており、この測距用発光素子用凹部１１ｅを除く部分（例えばレンズモジュール側の先端である自由端）と配線基板４０との間には上下方向に隙間Ｇ１が設けられている。
【００２２】
図３に示すように、膨出部１１は、係合凸部１１ａと、４つの圧入用凸部１１ｂと、貫通孔１１ｃと、２つの偏光部材支持部１１ｄと、測距用発光素子用凹部１１ｅ（図２参照）と、を含む。
【００２３】
係合凸部１１ａは、膨出部１１から上方に突出するように設けられ、第２の導光体６２の係合凹部６２ａに係合する。膨出部１１には、係合凸部１１ａと係合凹部６２ｂとが係合した状態で、第２の導光体６２が載置される。例えば、図２に示すように、筐体１０は、係合凸部１１ａの上端において第２の導光体６２を支持する。
【００２４】
図３に示す４つの圧入用凸部１１ｂは、膨出部１１から上方に突出するように形成され、これら４つの圧入用凸部１１ｂで囲まれた領域に測距用レンズ９０が圧入される。
【００２５】
貫通孔１１ｃは、４つの圧入用凸部１１ｂの中心において上下方向に膨出部１１を貫通するように形成されている。貫通孔１１ｃは、配線基板４０に実装された測距用発光素子４３の上方に位置し、この測距用発光素子４３から発せられる光を測距用レンズ９０へ通す。
【００２６】
なお、膨出部１１は、貫通孔１１ｃが形成されていることで、測距用発光素子４３から発せられる光が拡散する範囲を規制するアパーチャとして機能するため、筐体１０は、４つのアパーチャが一体に設けられているといえる。
【００２７】
２つの偏光部材支持部１１ｄは、互いに異なる偏光部材８０の角部を支持するように、それぞれ異なる膨出部１１（筐体１０の隣り合う角部の膨出部１１）に向かって突出するように設けられている。
【００２８】
図２に示す測距用発光素子用凹部１１ｅは、測距用発光素子４３との干渉を回避するために、膨出部１１の底面に開口する。
【００２９】
図３に示すように、２つの突出部１２は、平面視における筐体１０の４辺のうち互いに対向する２辺の中央において筐体１０の外周面に設けられている。突出部１２は、下方に突出するように設けられている。
【００３０】
ストッパ爪部収容部１３は、平面視における筐体１０の４辺のうち互いに対向する２辺のそれぞれにおいて、突出部１２を挟み込むように２つずつ計４つ筐体１０の外周面に設けられている。ストッパ爪部収容部１３は、筐体１０の外周面及び底面に開口するように設けられ、ストッパ２０のストッパ爪部２１を収容する。
【００３１】
４つの筐体爪部１４は、それぞれストッパ爪部収容部１３の内部から外周面側（レンズモジュール５０とは反対側）に突出し、ストッパ２０のストッパ爪部２１と係合する。筐体爪部１４は、ストッパ２０の筐体爪部用凹部２２に挿入される。
【００３２】
差込部収容部１５は、平面視における筐体１０の４辺のうち互いに対向する２辺のそれぞれにおいて、２つのストッパ爪部収容部１３を挟み込むように２つずつ計４つ筐体１０の外周面に設けられている。差込部収容部１５は、筐体１０の底面側に開口し、下方からストッパ２０の差込部２３が挿入される。
【００３３】
トップカバー支持部１６は、筐体１０の上面の全周に亘って上方に突出し、トップカバー３０を支持する。
【００３４】
図３に示す２つのストッパ２０のそれぞれは、２つのストッパ爪部２１と、２つの筐体爪部用凹部２２と、２つの差込部２３と、基板押さえ部２４と、突出部用凹部２５と、を有する。ストッパ２０は、筐体１０との間に配線基板４０の周縁を挟み込むことで、配線基板４０を筐体１０に固定する。
【００３５】
ストッパ２０は、筐体１０の外周面である前後左右４つの面のうち互いに対向する２つの面、すなわち配線基板４０の互いに対向する２辺のそれぞれに計２つ配置される。ストッパ２０は、撮像装置１の外周面のうち底部側の一部を構成する。つまり、筐体１０及びストッパ２０によって、撮像装置１の外周面が構成される。ストッパ２０は、筐体１０の底面側から挿入されている。
【００３６】
ストッパ爪部２１は、筐体１０のストッパ爪部収容部１３に挿入されることで、筐体１０の筐体爪部１４と係合する。これにより、ストッパ２０が筐体１０に対して固定される。なお、ストッパ爪部２１の外周面２１ａは、筐体１０の外周面と同一面上に位置する。
【００３７】
筐体爪部用凹部２２は、ストッパ２０の内周面側、すなわち筐体１０の内部（レンズモジュール５０）側に開口し、上記のとおり筐体爪部１４が挿入される。
【００３８】
差込部２３は、２つの筐体爪部用凹部２２を挟んだ両端側に設けられている。例えば、差込部２３は、板状を呈し、上記のとおり差込部収容部１５に下方から挿入される。
【００３９】
基板押さえ部２４は、配線基板４０の周縁を押さえる位置にあり、筐体１０との間で配線基板４０の周縁を挟み込む。例えば、基板押さえ部２４は、ストッパ２０の長手方向の全長に亘って設けられ、配線基板４０の１辺の全長に亘って配線基板４０の裏面の周縁を押さえる。また、基板押さえ部２４は、配線基板４０の隣接する２つの角部を押さえることで、筐体１０の隣接する２つの角部との間で配線基板４０を挟み込む。
【００４０】
突出部用凹部２５も、筐体爪部用凹部２２と同様にストッパ２０の内周面側、すなわち筐体１０の内部（レンズモジュール５０）側に開口し、上記の突出部１２が挿入される。
【００４１】
トップカバー３０は、上述のように、筐体１０のトップカバー支持部１６により支持されている。例えば、トップカバー３０は、正方形の板状を呈する。トップカバー３０は、透光性のある材料から形成され、撮像対象物（例えば手のひら静脈）に向けて照射される照明用発光素子４２及び測距用発光素子４３の照射光、及び撮像対象物等からの反射光が透過する。
【００４２】
配線基板４０は、ＣＰＵやメモリなどの部品が実装されることで、撮像用の制御部として機能する。また、撮像装置１が生体認証装置として用いられる場合、配線基板４０は、生体認証用の制御部として機能することができる。
【００４３】
配線基板４０は、撮像素子４１と、８つの照明用発光素子４２と、４つの測距用発光素子４３と、を有する。
【００４４】
撮像素子４１は、例えば、ＣＭＯＳ（Complementary Metal Oxide Semiconductor）センサ等のイメージセンサであり、配線基板４０の上面の中心に実装されている。
【００４５】
８つの照明用発光素子４２は、撮像素子４１の周囲において撮像素子４１との間隔及び各照明用発光素子４２の間隔が等間隔となるように配線基板４０の上面に実装されている。照明用発光素子４２は、トップカバー３０を介して外部に照射される光を発する光源の一例である。照明用発光素子４２は、例えばＬＥＤ（light emitting diode）である。
【００４６】
４つの測距用発光素子４３は、照明用発光素子４２よりも外側において撮像素子４１との間隔及び測距用発光素子４３の間隔が等間隔となるように配線基板４０の上面に実装されている。測距用発光素子４３は、膨出部１１の貫通孔１１ｃ、測距用レンズ９０、及びトップカバー３０を介して外部に照射される光を発する。測距用発光素子４３は、例えばＬＥＤである。
【００４７】
撮像部Ｐは、レンズモジュール５０と、配線基板４０に実装された撮像素子４１とを有する。撮像部Ｐは、光軸Ａが筐体１０及び配線基板４０の中心に位置するように配置されている。
【００４８】
レンズモジュール５０は、レンズ本体５１及びレンズ支持部材５２を有し、配線基板４０の上面の中心に配置されている。なお、レンズ支持部材５２（レンズモジュール５０）は、例えば配線基板４０の上面に固定されている。
【００４９】
レンズ本体５１は、撮像素子４１に光を集光する。レンズ本体５１（レンズモジュール５０）の上面とトップカバー３０の底面との間には、上下方向に隙間Ｇ２が設けられている。
【００５０】
レンズ支持部材５２は、レンズ本体５１の下部周囲を覆う四角筒形状を呈し、レンズ本体５１を支持する。図３に示すように、レンズ支持部材５２の平面視における周囲の４辺のそれぞれには、レンズ支持部材５２の外側に平面視略三角形状に突出する遮断部５２ａが設けられている。
【００５１】
４つの遮断部５２ａのそれぞれは、平面視において、８つの照明用発光素子４２のうちの２つに向かって突出する。遮断部５２ａは、照明用発光素子４２からの迷光を遮断する。一例ではあるが、この迷光は、照明用発光素子４２から発せられた光が、配線基板４０及び遮光体７０において反射し、レンズ本体５１に向かう光である。また、４つの遮断部５２ａは、上述の偏光部材支持部１１ｄとともに偏光部材８０を支持する。遮断部５２ａは、偏光部材８０の長辺において偏光部材８０を下方から支持する。
【００５２】
図３に示すように、第１の導光体６１及び第２の導光体６２は、円環状を呈し、第１の導光体６１が第２の導光体６２の上方に位置するように重ねて配置されている。第１の導光体６１及び第２の導光体６２は、レンズモジュール５０の周囲に配置され照明用発光素子４２から発せられる光を導光する導光体の一例である。なお、導光体としては、第１の導光体６１及び第２の導光体６２の２つではなく単一の導光体が配置されていてもよい。
【００５３】
第１の導光体６１及び第２の導光体６２は、レンズ本体５１に対して光が出射されないように、照明用発光素子４２から発せられる光を拡散する。なお、第１の導光体６１及び第２の導光体６２の上面は、内周面（内周縁６１ａ）から外周面側にかけて下方に傾斜している。
【００５４】
第１の導光体６１は、内周縁６１ａにおいて後述する遮光体７０のフランジ部７１を支持する。また、第１の導光体６１は、遮光体７０の外周面に等間隔で設けられた４つの回転防止用凹部７２に挿入される４つの回転防止用凸部６１ｂを有する。これにより、第１の導光体６１と遮光体７０との相対的な回転が防止される。回転防止用凸部６１ｂは、内周縁６１ａよりも下方に位置するため、回転防止用凸部６１ｂの上面は、フランジ部７１の底面との間に上下方向の隙間を隔てて位置し、フランジ部７１の底面（遮光体７０）には接触しない。
【００５５】
第１の導光体６１には、第1の導光体６１の底面に等間隔で設けられ下方に突出する４つの係合凸部６１ｃが設けられている。この４つの係合凸部６１ｃは、第２の導光体６２の４つの係合凹部６２ｂに係合する。これにより、第１の導光体６１と第２の導光体６２との相対的な回転が防止される。なお、図示はしないが、第1の導光体６１には、この第１の導光体６１の径方向に多数の稜線を有するプリズム列が設けられている。
【００５６】
第２の導光体６２には、上述のように、筐体１０の４つの膨出部１１の係合凸部１１ａに係合する４つの係合凹部６２ａが設けられている。これにより、第２の導光体６２は、４つの係合凸部１１ａ（４つの膨出部１１）によって支持されている。
【００５７】
図３に示すように、遮光体７０は、円筒形状を呈し、レンズ本体５１（レンズモジュール５０）の周囲に配置され、照明用発光素子４２からの上記の迷光等の光を遮光する。遮光体７０の上端には、遮光体７０の周囲の全周に亘って外側に突出するフランジ部７１が設けられている。遮光体７０は、第１の導光体６１の内部に上方から挿入され、フランジ部７１において第１の導光体６１の内周縁６１ａ上に載置される。
【００５８】
このように、遮光体７０と第１の導光体６１とは、回転防止用凸部６１ｂが回転防止用凹部７２に挿入されることで相対的な回転が防止されるが、回転防止用凸部６１ｂとは異なる位置（内周面６１ａ及びフランジ部７１の底面）で接触するように重ねて配置されている。
【００５９】
なお、本実施の形態では、第１の導光体６１に回転防止用凸部６１ｂが設けられ、遮光体７０に回転防止用凹部７２が設けられているが、第１の導光体６１に回転防止用凹部が設けられ、遮光体７０に回転防止用凸部が設けられてもよい。
【００６０】
また、本実施の形態では、第１の導光体６１が遮光体７０の下方に配置されるが、遮光体７０が第１の導光体６１の下方に配置される場合であっても、第１の導光体６１又は遮光体７０の回転防止用凸部とは異なる位置で接触するように遮光体７０上に第１の導光体６１が重ねて配置されるとよい。
【００６１】
遮光体７０の下部には、平面視におけるレンズ支持部材５２の４つの角部との干渉を防止するために、４つのレンズ支持部材用切り欠き７３が等間隔で設けられている。
【００６２】
遮光体７０の上面は、トップカバー３０の底面との間にわずかに隙間を隔てて配置されているかトップカバー３０の底面に接触している。一方、レンズモジュール５０の上面とトップカバー３０の底面との間には、遮光体７０の上面とトップカバー３０の底面との間の隙間（隙間がある場合）よりも大きい隙間Ｇ２が設けられている。そのため、後述するようにトップカバー３０の中心が人の指や手のひらで下方に押されてトップカバー３０が下方に撓むと、トップカバー３０の底面はレンズモジュール５０の上面には接触せず遮光体７０の上面に接触する。
【００６３】
４つの偏光部材８０のそれぞれは、上述のようにレンズモジュール５０の１つの遮断部５２ａと、隣り合う２つの膨出部１１の１つずつ計２つの偏光部材支持部１１ｄとに載置され支持されている。偏光部材８０は、２つの照明用発光素子４２の上方で且つ第２の導光体６２の下方に配置され、照明用発光素子４２から発せられる光のうち特定の波長の光を透過させる。
【００６４】
上述の撮像装置１では、図２に示すように、トップカバー３０の中心が人の指や手のひらなどで下方に押されることによりトップカバー３０に下向きに荷重Ｌ１が加わる。これにより、トップカバー３０が下方に撓み、遮光体７０に荷重Ｌ２が加わる。
【００６５】
また、遮光体７０のフランジ部７１の底面に接触する内周縁６１ａを有する第１の導光体６１に荷重Ｌ３が加わる。また、第１の導光体６１の係合凸部６１ｃに係合する係合凹部６２ｂを有する第２の導光体６２に荷重Ｌ４が加わる。
【００６６】
また、第２の導光体６２の係合凹部６２ａに係合する係合凸部１１ａを有する膨出部１１に荷重Ｌ５が加わる。上述のように、膨出部１１と配線基板４０との間には隙間Ｇ１が設けられているため、膨出部１１に加わる荷重Ｌ５は、配線基板４０の周縁（角部）と、この周縁を筐体１０との間で挟み込むストッパ２０の基板押さえ部２４とに荷重Ｌ６として加わる。このように、配線基板４０に加わる荷重Ｌ６は、基板押さえ部２４によって挟み込まれる配線基板４０の周縁に加わるため、配線基板４０の撓み（歪み）が抑制される。
【００６７】
以上説明した本実施の形態では、撮像装置１は、配線基板４０と、レンズモジュール５０と配線基板４０に実装された撮像素子４１とを有する撮像部Ｐと、この撮像部Ｐの光軸Ａ方向に開口する枠状の筐体１０と、この筐体１０に配置されたトップカバー３０と、このトップカバー３０を介して外部に照射される光を発する光源の一例である照明用発光素子４２と、レンズモジュール５０の周囲に配置され、照明用発光素子４２から発せられる光を導光する導光体の一例である第１の導光体６１及び第２の導光体６２と、を備える。撮像部Ｐは、トップカバー３０との間に隙間Ｇ２を隔てて配置され、筐体１０は、配線基板４０とは非接触（隙間Ｇ１）となるようにレンズモジュール５０側に膨出する膨出部１１を有し、この膨出部１１は、少なくとも導光体（第１の導光体６１及び第２の導光体６２）を介して、トップカバー３０から加わる荷重Ｌ５を受ける。
【００６８】
そのため、トップカバー３０の中心が人の指や手のひらなどで下方に押されても、その荷重Ｌ１を、撮像部Ｐを介さずに、第１の導光体６１及び第２の導光体６２を介して、膨出部１１に伝えることができる。また、膨出部１１は、配線基板４０とは非接触（隙間Ｇ１）となるようにレンズモジュール５０側に膨出するため、膨出部１１に加わる荷重Ｌ５は、配線基板４０の周縁（角部）に荷重Ｌ６として加わる。これにより、配線基板４０の撓みが抑制される。したがって、膨出部１１を経ずに、撮像部Ｐを介して配線基板４０に荷重が伝わる構成や第１の導光体６１及び第２の導光体６２を介して配線基板４０に荷重が伝わる構成のように、配線基板４０が撓むことによって配線基板４０に実装された部品に破損のおそれが生じるのを防止することができる。更には、筐体１０に膨出部１１を設ける簡素な構成によって、上述のように配線基板４０に実装された部品に破損のおそれが生じるのを防止することができる。
【００６９】
よって、本実施の形態によれば、簡素な構成で配線基板４０ひいては撮像装置１の耐久性を向上させることができる。
【００７０】
また、本実施の形態では、撮像装置１は、レンズモジュール５０の周囲に配置され、光を遮光する遮光体７０を更に備え、膨出部１１は、少なくとも遮光体７０及び導光体（第１の導光体６１及び第２の導光体６２）を介して、トップカバー３０から加わる荷重Ｌ５を受ける。そのため、レンズモジュール５０の周囲に配置された遮光体７０及び導光体（第１の導光体６１及び第２の導光体６２）を介して、トップカバー３０の中心近傍（レンズモジュール５０近傍）に下方に加わる荷重Ｌ１を膨出部１１に伝えることができる。したがって、簡素な構成で配線基板４０ひいては撮像装置１の耐久性を向上させることができる。
【００７１】
また、本実施の形態では、撮像装置１は、レンズモジュール５０の周囲に配置され光を遮光する遮光体７０を更に備え、導光体（第１の導光体６１及び第２の導光体６２）並びに遮光体７０のうち一方（第１の導光体６１）が回転防止用凸部６１ｂを有し、他方（遮光体７０）が回転防止用凸部６２に係合する回転防止用凹部７２を有し、導光体（第１の導光体６１及び第２の導光体６２）と遮光体７０とは、回転防止用凸部６１ｂとは異なる位置（例えば第１の導光体６１の内周縁６１ａ及びフランジ部７１の底面）で接触するように重ねて配置されている。そのため、撮像装置１の落下時などに生じる衝撃や、トップカバー３０から回転防止用凸部６１ｂに加わる荷重Ｌ３によって回転防止用凸部６１ｂが破損するのを防止することができる。したがって、撮像装置１の耐久性をより一層向上させることができる。
【００７２】
なお、本発明は、上述した実施の形態そのままに限定されるものではなく、実施段階でのその要旨を逸脱しない範囲で構成要素を変形して具体化することができる。また、実施の形態に開示されている複数の構成要素の適宜な組み合わせにより、種々の発明を形成することができる。例えば、実施の形態に示される全構成要素を適宜組み合わせてもよい。このように、発明の趣旨を逸脱しない範囲内において種々の変形や応用が可能である。
【符号の説明】
【００７３】
１      撮像装置
１０      筐体
１１      膨出部
１１ａ      係合凸部
１１ｂ      圧入用凸部
１１ｃ      貫通孔
１１ｄ      偏光部材支持部
１１ｅ      測距用発光素子用凹部
１２      突出部
１３      ストッパ爪部収容部
１４      筐体爪部
１５      差込部収容部
１６      トップカバー支持部
２０      ストッパ
２１      ストッパ爪部
２１ａ      外周面
２２      筐体爪部用凹部
２３      差込部
２４      基板押さえ部
２５      突出部用凹部
３０      トップカバー
４０      配線基板
４１      撮像素子
４２      照明用発光素子
４３      測距用発光素子
５０      レンズモジュール
５１      レンズ本体
５２      レンズ支持部材
５２ａ      遮断部
６１      第１の導光体
６１ａ      内周縁
６１ｂ      回転防止用凸部
６１ｃ      係合凸部
６２      第２の導光体
６２ａ      係合凹部
６２ｂ      係合凹部
７０      遮光体
７１      フランジ部
７２      回転防止用凹部
７３      レンズ支持部材用切り欠き
８０      偏光部材
９０      測距用レンズ
Ａ      光軸
Ｇ１，Ｇ２      隙間
Ｌ１〜Ｌ６      荷重
Ｐ      撮像部
【図１】
2019150551.tif 000003
【図２】
2019150551.tif 000004
【図３】
2019150551.tif 000005
【国際調査報告】
2019150551.tif 000006
2019150551.tif 000007
2019150551.tif 000008